(57)【要約】      （修正有）【課題】ロッドからのスクリューポイントの取り外し冶具を提供する。【解決手段】ロッド２０からのスクリューポイント１２の取り外し冶具１０は、板材からなり、該板材の一端側に、挿入するスクリューポイント１２の周方向への回り止めをする内形がほぼ正方形をなす掛止孔１４を有し、前記板材の他端側に、地面に突き刺し可能な係止部１６を有することを特徴とする。【選択図】図５
2019094714.tif 000002
【特許請求の範囲】
【請求項１】
板材からなり、該板材の一端側に、挿入するスクリューポイントの周方向への回り止めをする内形がほぼ正方形をなす掛止孔を有し、前記板材の他端側に、地面に突き刺し可能な係止部を有することを特徴とするロッドからのスクリューポイントの取り外し冶具。
【請求項２】
前記係止部が、前記板材の他端側を折り曲げて形成した折曲片からなることを特徴とする請求項１記載のロッドからのスクリューポイントの取り外し冶具。
【請求項３】
前記板材の一端側に、ロッドの外周部に形成したスパナ掛部に嵌合する切欠部が形成されていることを特徴とする請求項１または２記載のロッドからのスクリューポイントの取り外し冶具。
【請求項４】
請求項１〜３いずれか１項記載のロッドからのスクリューポイント取り外し冶具を用いて、ロッドに螺着されたスクリューポイントをロッドから取り外すスクリューポイントの取り外し方法において、
前記ロッドからのスクリューポイント取り外し冶具を、前記係止部を地面に突き刺すようにして、地面上に載置する工程と、
前記掛止孔に、前記ロッドに螺着されたスクリューポイントを前記掛止孔縁により回り止めされる位置まで挿通すると共に、スクリューポイント先端側を地面に突き刺す工程と、
前記ロッドからのスクリューポイント取り外し冶具を地面に押圧して固定し、前記ロッドを把持しつつ、スパナを前記ロッドに形成されているスパナ掛部に嵌合して、スパナを回転してロッドを回転させることによって、前記ロッドを前記スクリューポイントから取り外す工程を具備することを特徴とするロッドからのスクリューポイントの取り外し方法。
【請求項５】
前記スパナに、請求項３記載の切欠部を形成した別のロッドからのスクリューポイントの取り外し冶具を用いることを特徴とする請求項４記載のロッドからのスクリューポイントの取り外し方法。
【発明の詳細な説明】
【技術分野】
【０００１】
本発明はロッドからのスクリューポイントの取り外し冶具およびロッドからのスクリューポイントの取り外し方法に関する。
【背景技術】
【０００２】
土質や地耐力など、地盤を調査するために、いわゆるスウェーデン式サウンディング（ＳＷＳ）試験（ＪＩＳ  Ａ  １２２１）が一般に広く行われている。
スウェーデン式サウンディング試験は、ロッドの下端にスクリューポイントを取り付け、ロッドに荷重と回転を掛けつつ、スクリューポイントを地中に貫入させ、所要貫入位置での荷重やロッドの回転数等から土地の地層構造を判定するものである。
【０００３】
ところで、スクリューポイントは何回も使用するうちに摩耗することから、ＪＩＳに規定する摩耗限界に達する前に交換する必要がある。
しかるに、スウェーデン式サウンディング試験は、ロッドと共にスクリューポイントを回転しながら地中に貫入するものであるため、複数回使用するうちに、スクリューポイントはロッドに固く螺着される状態となり、単なるクランプ冶具とスパナでは容易に取り外せないという課題がある。このため、特許文献１：実用新案登録第３１２４８８７号公報には、スクリューポイントの着脱用工具が提案されている。また、特許文献２：特開２００４−２３２２１２号公報にも、スクリューポイントの緩め冶具が提案されている。
【先行技術文献】
【特許文献】
【０００４】
【特許文献１】実用新案登録第３１２４８８７号公報
【特許文献２】特開２００４−２３２２１２号公報
【発明の概要】
【発明が解決しようとする課題】
【０００５】
特許文献１に示されるスクリューポイントの着脱用工具は、スクリューポイントのスクリューの外形にほぼ倣った内形を有する保持孔を有する。そしてこの保持孔にスクリューポイントを挿入してスクリューポイントを回り止めし、スパナによりロッドを回転させるものとなっている。しかしながら、この特許文献１のものでは、工具に複雑な内形を有する保持孔を形成する必要があるので、工具の作製が極めて厄介となる課題がある。
【０００６】
特許文献２の緩め冶具は、四角形の孔の開いた固定板にスクリューポイントを挿入することによってスクリューポイントの回り止めをすると共に、２本のボルトによって固定板を介してスクリューポイントを冶具本体に締め付けて固定するようにしている。そして冶具本体を地面に対して容易に回転しないように冶具本体にレバーを取り付けて、冶具本体を地面に対して押さえつけた状態で、ロッドにスパナ掛けをし、ロッドを回転させて、スクリューポイントを取り外すようにしている。
しかしながら、この特許文献２に示される緩め冶具は、２本のボルトを締め込んでスクリューポイントを冶具本体に固定する操作が必要であり、取り外し作業が煩雑であるという課題がある。
【課題を解決するための手段】
【０００７】
本発明は上記課題を解決すべくなされたものであり、その目的とするところは、冶具そのものの構造が簡易であると共に、取り外し作業も簡単に行えるロッドからのスクリューポイントの取り外し冶具およびロッドからのスクリューポイントの取り外し方法を提供することにある。
【０００８】
上記の目的を達成するため、本発明は次の構成を備える。
すなわち、本発明に係るロッドからのスクリューポイントの取り外し冶具は、板材からなり、該板材の一端側に、挿入するスクリューポイントの周方向への回り止めをする内形がほぼ四角形をなす掛止孔を有し、前記板材の他端側に、地面に突き刺し可能な係止部を有することを特徴とする。
【０００９】
前記係止部を、前記板材の他端側を折り曲げて形成した折曲片とすることができる。
前記板材の一端側に、ロッドの外周部に形成したスパナ掛部に嵌合する切欠部を形成すると好適である。
【００１０】
また本発明に係るロッドからのスクリューポイント取り外し方法は、上記いずれかのロッドからのスクリューポイント取り外し冶具を用いる方法であって、前記ロッドからのスクリューポイント取り外し冶具を、前記係止部を地面に突き刺すようにして、地面上に載置する工程と、前記掛止孔に、前記ロッドに螺着されたスクリューポイントを前記掛止孔縁により回り止めされる位置まで挿通すると共に、スクリューポイント先端側を地面に突き刺す工程と、前記ロッドからのスクリューポイント取り外し冶具を地面に押圧して固定し、前記ロッドを把持しつつ、スパナを前記ロッドに形成されているスパナ掛部に嵌合して、スパナを回転してロッドを回転させることによって、前記ロッドを前記スクリューポイントから取り外す工程を具備することを特徴とする。
【００１１】
前記スパナとして、上記切欠部を形成した別のロッドからのスクリューポイントの取り外し冶具を用いることができる。
【発明の効果】
【００１２】
本発明によれば、単純な板材からなる簡易な構造の取り外し冶具とすることができ、また、係止部を地面に突き刺し、さらに、掛止孔に挿通、回り止めしたスクリューポイントを地面に突き刺して、スクリューポイントと取り外し冶具を固定し、ロッドにスパナ掛けすることによってロッドを回転させるという簡単な操作だけで、容易にロッドとスクリューポイントを取り外すことができるという効果を奏する。
【図面の簡単な説明】
【００１３】
【図１】ロッドからのスクリューポイントの取り外し冶具の正面図である。
【図２】ロッドからのスクリューポイントの取り外し冶具の平面図である。
【図３】ロッドからのスクリューポイントの取り外し冶具の右側面図である。
【図４】スクリューポイントの横断面図である。
【図５】取り外し冶具の掛止孔に、ロッドに螺着されたスクリューポイントを挿通した状態を示す説明図である。
【発明を実施するための形態】
【００１４】
以下本発明の実施の形態を添付図面に基づき詳細に説明する。
図１はロッドからのスクリューポイントの取り外し冶具（以下単に取り外し冶具という）１０の正面図、図２はその平面図、図３はその右側面図である。
図１〜図３に示されるように、取り外し冶具１０は、鋼材製の板材からなり、該板材の一端側に、挿入するスクリューポイント１２の周方向への回り止めをする内形がほぼ正方形をなす掛止孔１４を有し、前記板材の他端側に、地面に突き刺し可能な係止部１６を有することを特徴とする。
【００１５】
係止部１６は、板材の他端側を板厚方向に直角に折り曲げて形成した折曲片とすることで容易に形成することができる。
本実施の形態では、係止部１６は、三角形の形状とし、地面に容易に突き刺せるようにしている。
なお、係止部１６は、板材を折り曲げるのでなく、適宜部材を板材に溶接によって固定して形成したり、場合によっては適宜部材をボルト止めして形成するようにしてもよい。
【００１６】
図２に明確なように、前記板材の一端側に、ロッドの外周部に形成したスパナ掛部に嵌合する切欠部１８を形成するようにすると、スパナとして用いることもできて好適である。
板材の大きさは特に限定されるものではないが、例えば、長さ３５０ｍｍ程度、幅４５ｍｍ程度、厚さ７ｍｍ程度の細長の板材のものとするとよい。
【００１７】
また、掛止孔１４は、一辺が約２０ｍｍの正方形のものとするとよい。なお、各辺は必ずしも直線でなく、曲線等を含むものでもよいが、要は、スクリューポイント１２を掛止孔１４に挿入した際、スクリューポイント１２の稜部が掛止孔１４内縁に掛止して、スクリューポイント１２が回り止め可能な形状であればよい。掛止孔１４は、正方形であるのが、作りやすいことはもちろんである。
【００１８】
スクリューポイント１２は、四角錐を捩った形状をなし、その結果、４条の溝を有するスクリュー状を呈するが、その横断面は、円形ではなく、軸方向のどの部位においても、図４に示すように、変形した四角形を有している（最大径は約３３ｍｍ）。つまり４つの稜部１２ａを有している。したがって、スクリューポイント１２を、先端側から、軸線を中心に回転させながら、一辺が２０ｍｍの正方形状の掛止孔１４に挿入していけば、所要挿入位置で、稜部１２ａが掛止孔１４の角部に位置するようにして、稜部１２ａが掛止孔１４の内縁に当接して、回り止めされる。
【００１９】
上記取り外し冶具１０を用いてロッドからスクリューポイント１２を取り外すのは、次のようにして行える。
まず、取り外し冶具１０を、係止部１６を作業場の地面に突き刺すようにして、地面上に載置する。
次に、図５に示すように、掛止孔１４に、ロッド２０に螺着されたスクリューポイント１２を掛止孔縁により回り止めされる位置まで挿通すると共に、スクリューポイント１２先端側を地面に突き刺すようにする（地面については図示せず）。
【００２０】
取り外し冶具１０は、一端側において、掛止孔１４に挿通されたスクリューポイント１２の先端側が地面に突き刺さり、他端側において、係止部１６が地面に突き刺さっていることから、横方向にずれてしまうことがない。
作業者は、この状態で、取り外し冶具１０を足により踏みつけるなどして地面に固定し、片方の手などでロッド２０を把持しつつ、他方の手で（あるいは他の作業者が）操作してスパナ（図示せず）をロッド２０に形成されているスパナ掛部２２に嵌合して、スパナを回転してロッド２０を回転させることによって、ロッド２０をスクリューポイント１２から容易に取り外すことができる。すなわち、この操作は１人あるいは複数人の作業者で行うことができる。
【００２１】
なお、市販のスパナでなく、別の取り外し冶具１０をスパナとして用い、切欠部１８をスパナ掛部２２に嵌合（契合）してロッド２０を回転させるようにすると、柄の長いスパナとして用いることができるので、より容易にロッド２０を回転させ、取り外すことができる。
ロッド２０を取り外した後、取り外し冶具１０およびスクリューポイント１２を地面から持ち上げ、取り外し冶具１０からスクリューポイント１２を外すことによって作業を終了する。
【符号の説明】
【００２２】
１０  ロッドからのスクリューポイント取り外し冶具、１２  スクリューポイント、１４  掛止孔、１６  係止部、１８  切欠部、２０  ロッド、２２  スパナ掛部
【図１】
2019094714.tif 000003
【図２】
2019094714.tif 000004
【図３】
2019094714.tif 000005
【図４】
2019094714.tif 000006
【図５】
2019094714.tif 000007
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
板材からなり、該板材の一端側に、挿入するスクリューポイントの周方向への回り止めをする内形がほぼ正方形をなす掛止孔を有し、前記板材の他端側に、地面に突き刺し可能な係止部を有するロッドからのスクリューポイントの取り外し冶具であって、
前記板材の一端側に、ロッドの外周部に形成したスパナ掛部に嵌合する切欠部が形成されていることを特徴とするロッドからのスクリューポイントの取り外し冶具。
【請求項２】
前記係止部が、前記板材の他端側を折り曲げて形成した折曲片からなることを特徴とする請求項１記載のロッドからのスクリューポイントの取り外し冶具。
【請求項３】
板材からなり、該板材の一端側に、挿入するスクリューポイントの周方向への回り止めをする内形がほぼ正方形をなす掛止孔を有し、前記板材の他端側に、地面に突き刺し可能な係止部を有するロッドからのスクリューポイント取り外し冶具を用いて、ロッドに螺着されたスクリューポイントをロッドから取り外すスクリューポイントの取り外し方法において、
前記ロッドからのスクリューポイント取り外し冶具を、前記係止部を地面に突き刺すようにして、地面上に載置する工程と、
前記掛止孔に、前記ロッドに螺着されたスクリューポイントを前記掛止孔縁により回り止めされる位置まで挿通すると共に、スクリューポイント先端側を地面に突き刺す工程と、
前記ロッドからのスクリューポイント取り外し冶具を地面に押圧して固定し、前記ロッドを把持しつつ、スパナを前記ロッドに形成されているスパナ掛部に嵌合して、スパナを回転してロッドを回転させることによって、前記ロッドを前記スクリューポイントから取り外す工程を具備することを特徴とするロッドからのスクリューポイントの取り外し方法。
【請求項４】
前記ロッドからのスクリューポイント取り外し冶具における前記係止部が、前記板材の他端側を折り曲げて形成した折曲片からなることを特徴とする請求項３記載のロッドからのスクリューポイントの取り外し方法。
【請求項５】
前記ロッドからのスクリューポイント取り外し冶具における前記板材の一端側に、ロッドの外周部に形成したスパナ掛部に嵌合する切欠部が形成されており、
前記スパナに、前記切欠部を形成した別のロッドからのスクリューポイントの取り外し冶具を用いることを特徴とする請求項３または４記載のロッドからのスクリューポイントの取り外し方法。